(57)【要約】【課題】複数のコンテンツの中から選択されたコンテンツの詳細情報が表示されているときに、複数のコンテンツに含まれる他のコンテンツを認識できるようにする。【解決手段】取得部は、一覧画像２０と詳細画像３０とを取得する。表示制御部は、一覧画像２０が表示部１６に表示されているときに、入力部によって複数のコンテンツの中から第１のコンテンツが選択されると、詳細画像３０のうち第１のコンテンツについての詳細情報を含む部分を、一覧画像２０に重ねて表示する。スクロール部は、詳細画像３０が表示されているときに入力部から受け付けられた所定の操作に応じて、詳細画像３０をスクロールする。【選択図】図７
2015141660.tif 000002
【特許請求の範囲】
【請求項１】
表示部と、
入力部と、
複数のコンテンツの情報が所定の順序で配列された一覧画像と、各コンテンツの詳細情報が前記所定の順序で配列された詳細画像とを取得する取得部と、
前記一覧画像が前記表示部に表示されているときに、前記入力部によって前記複数のコンテンツの中から第１のコンテンツが選択されると、前記詳細画像のうち前記第１のコンテンツについての詳細情報を含む部分を、前記一覧画像に重ねて表示する表示制御部と、
前記詳細画像が表示されているときに前記入力部から受け付けられた所定の操作に応じて、前記詳細画像をスクロールするスクロール部と
を備える表示装置。
【請求項２】
前記詳細画像がスクロールされている間、前記複数のコンテンツの中から、詳細情報が表示される領域の大きさの比率が最も大きい第２のコンテンツを決定する決定部と、
前記決定部により決定された前記第２のコンテンツ以外のコンテンツの詳細情報が表示される前記詳細画像内の領域の不透明度を低下させる透明処理部とを備え、
前記スクロール部は、前記所定の操作が終了した後、前記決定部により最後に決定された第２のコンテンツについての詳細情報全体を含む部分が表示されるように、前記詳細画像をスクロールする
請求項１に記載の表示装置。
【請求項３】
前記詳細画像の幅は、前記一覧画像の幅より小さく、
前記詳細画像が表示されているときに、前記一覧画像の一部は、前記詳細画像によって隠されずに表示される
請求項１又は２に記載の表示装置。
【請求項４】
前記第１のコンテンツ又は前記第２のコンテンツについての情報が表示される前記一覧画像内の領域の色を変更する変更部をさらに備える
請求項３に記載の表示装置。
【請求項５】
前記スクロール部は、前記詳細画像と連動して、前記一覧画像をスクロールする
請求項３又は４に記載の表示装置。
【請求項６】
前記スクロール部は、前記詳細画像が表示されているときに、前記一覧画像の一部が表示された領域上で前記所定の操作が行われた場合には、当該所定の操作に応じて前記一覧画像をスクロールするとともに、当該一覧画像と連動して前記詳細画像をスクロールする
請求項３から５のいずれか１項に記載の表示装置。
【請求項７】
前記表示制御部は、前記所定の操作の操作量に応じて、前記詳細画像の幅を変更する
請求項６に記載の表示装置。
【請求項８】
前記表示制御部は、前記所定の操作の操作量が閾値より大きい場合には、前記詳細画像と前記一覧画像とを入れ替える
請求項１から７のいずれか１項に記載の表示装置。
【請求項９】
複数のコンテンツの情報が所定の順序で配列された一覧画像と、各コンテンツの詳細情報が前記所定の順序で配列された詳細画像とを取得するステップと、
前記一覧画像が表示部に表示されているときに、入力部によって前記複数のコンテンツの中から第１のコンテンツが選択されると、前記詳細画像のうち前記第１のコンテンツについての詳細情報を含む部分を、前記一覧画像に重ねて表示するステップと、
前記詳細画像が表示されているときに前記入力部から受け付けられた所定の操作に応じて、前記詳細画像をスクロールするステップと
を備える表示方法。
【請求項１０】
コンピュータに、
複数のコンテンツの情報が所定の順序で配列された一覧画像と、各コンテンツの詳細情報が前記所定の順序で配列された詳細画像とを取得するステップと、
前記一覧画像が表示部に表示されているときに、入力部によって前記複数のコンテンツの中から第１のコンテンツが選択されると、前記詳細画像のうち前記第１のコンテンツについての詳細情報を含む部分を、前記一覧画像に重ねて表示するステップと、
前記詳細画像が表示されているときに前記入力部から受け付けられた所定の操作に応じて、前記詳細画像をスクロールするステップと
を実行させるためのプログラム。
【発明の詳細な説明】
【技術分野】
【０００１】
本発明は、複数のコンテンツの情報を表示する技術に関する。
【背景技術】
【０００２】
複数のコンテンツの情報を表示する技術として、特許文献１に記載の技術が知られている。特許文献１には、複数の書籍のサムネイル画像を表示し、この中からある書籍のサムネイル画像がタップされると、その書籍の内容を表示することが記載されている。
【先行技術文献】
【特許文献】
【０００３】
【特許文献１】特開２０１３−１７５２２２号公報
【発明の概要】
【発明が解決しようとする課題】
【０００４】
しかし、例えば特許文献１に記載の技術のように、複数のコンテンツの一覧を示す一覧画面と、複数のコンテンツの中から選択されたコンテンツの詳細を示す詳細画面とを切り替えて表示する場合、あるコンテンツの詳細画面が表示されている間は、いったん一覧画面に戻らなければ、例えばその前後のコンテンツを認識することができない。
本発明は、複数のコンテンツの中から選択されたコンテンツの詳細情報が表示されているときに、複数のコンテンツに含まれる他のコンテンツを認識できるようにすることを目的とする。
【課題を解決するための手段】
【０００５】
本発明は、一の態様において、表示部と、入力部と、複数のコンテンツの情報が所定の順序で配列された一覧画像と、各コンテンツの詳細情報が前記所定の順序で配列された詳細画像とを取得する取得部と、前記一覧画像が前記表示部に表示されているときに、前記入力部によって前記複数のコンテンツの中から第１のコンテンツが選択されると、前記詳細画像のうち前記第１のコンテンツについての詳細情報を含む部分を、前記一覧画像に重ねて表示する表示制御部と、前記詳細画像が表示されているときに前記入力部から受け付けられた所定の操作に応じて、前記詳細画像をスクロールするスクロール部とを備える表示装置を提供する。
【０００６】
好ましい態様において、前記表示装置は、前記詳細画像がスクロールされている間、前記複数のコンテンツの中から、詳細情報が表示される領域の大きさの比率が最も大きい第２のコンテンツを決定する決定部と、前記決定部により決定された前記第２のコンテンツ以外のコンテンツの詳細情報が表示される前記詳細画像内の領域の不透明度を低下させる透明処理部とをさらに備え、前記スクロール部は、前記所定の操作が終了した後、前記決定部により最後に決定された第２のコンテンツについての詳細情報全体を含む部分が表示されるように、前記詳細画像をスクロールする。
好ましい態様において、前記詳細画像の幅は、前記一覧画像の幅より小さく、前記詳細画像が表示されているときに、前記一覧画像の一部は、前記詳細画像によって隠されずに表示される。
好ましい態様において、前記表示装置は、前記第１のコンテンツ又は前記第２のコンテンツについての情報が表示される前記一覧画像内の領域の色を変更する変更部をさらに備える。
好ましい態様において、前記スクロール部は、前記詳細画像と連動して、前記一覧画像をスクロールする。
好ましい態様において、前記スクロール部は、前記詳細画像が表示されているときに、前記一覧画像の一部が表示された領域上で前記所定の操作が行われた場合には、当該所定の操作に応じて前記一覧画像をスクロールするとともに、当該一覧画像と連動して前記詳細画像をスクロールする。
好ましい態様において、前記表示制御部は、前記所定の操作の操作量に応じて、前記詳細画像の幅を変更する。
好ましい態様において、前記表示制御部は、前記所定の操作の操作量が閾値より大きい場合には、前記詳細画像と前記一覧画像とを入れ替える。
【０００７】
本発明は、他の観点において、複数のコンテンツの情報が所定の順序で配列された一覧画像と、各コンテンツの詳細情報が前記所定の順序で配列された詳細画像とを取得するステップと、前記一覧画像が表示部に表示されているときに、入力部によって前記複数のコンテンツの中から第１のコンテンツが選択されると、前記詳細画像のうち前記第１のコンテンツについての詳細情報を含む部分を、前記一覧画像に重ねて表示するステップと、前記詳細画像が表示されているときに前記入力部から受け付けられた所定の操作に応じて、前記詳細画像をスクロールするステップとを備える表示方法を提供する。
【０００８】
本発明は、他の観点において、コンピュータに、複数のコンテンツの情報が所定の順序で配列された一覧画像と、各コンテンツの詳細情報が前記所定の順序で配列された詳細画像とを取得するステップと、前記一覧画像が表示部に表示されているときに、入力部によって前記複数のコンテンツの中から第１のコンテンツが選択されると、前記詳細画像のうち前記第１のコンテンツについての詳細情報を含む部分を、前記一覧画像に重ねて表示するステップと、前記詳細画像が表示されているときに前記入力部から受け付けられた所定の操作に応じて、前記詳細画像をスクロールするステップとを実行させるためのプログラムを提供する。
【発明の効果】
【０００９】
本発明によれば、複数のコンテンツの中から選択されたコンテンツの詳細情報が表示されているときに、複数のコンテンツに含まれる他のコンテンツを認識することができる。
【図面の簡単な説明】
【００１０】
【図１】携帯端末のハードウェア構成を示す図である。
【図２】携帯端末の機能構成を示す図である。
【図３】複数のコンテンツの情報を表示する表示処理を示すフローチャートである。
【図４】一覧画像の一例を示す図である。
【図５】一覧画像の表示例を示す図である。
【図６】詳細画像の一例を示す図である。
【図７】詳細画像の表示例を示す図である。
【図８】スクロール処理の一例を示す図である。
【図９】スクロール処理の一例を示す図である。
【図１０】詳細画像及び一覧画像の表示例を示す図である。
【図１１】変形例に係る詳細画像及び一覧画像の表示例を示す図である。
【図１２】変形例に係る詳細画像及び一覧画像の表示例を示す図である。
【発明を実施するための形態】
【００１１】
１．構成
図１は、携帯端末１０のハードウェア構成を示す図である。携帯端末１０は、例えば携帯電話機やスマートフォンである。携帯端末１０は、プロセッサ１１と、メインメモリ１２と、通信部１３と、音声入出力部１４と、入力部１５と、表示部１６と、記憶部１７とを備える。
【００１２】
プロセッサ１１は、例えばＣＰＵ（Central Processing Unit）により構成される。プロセッサ１１は、記憶部１７に記憶されたプログラムを実行することにより、携帯端末１０の各部を制御する。メインメモリ１２は、例えばＲＡＭ（Random Access Memory）により構成される。メインメモリ１２は、プログラムやデータを一時的に記憶する。メインメモリ１２は、プロセッサ１１がプログラムを実行する際の作業領域として用いられる。通信部１３は、ネットワークに接続される通信用のインタフェースである。通信部１３は、ネットワークを介して他の携帯端末１０と通信を行う。
【００１３】
音声入出力部１４は、例えばマイクロフォンとスピーカとにより構成される。音声入出力部１４は、音声の入出力を行う。入力部１５は、例えばタッチパネルとキーとにより構成される。入力部１５は、ユーザの操作に応じた信号をプロセッサ１１に入力する。表示部１６は、例えば液晶ディスプレイにより構成される。表示部１６は、各種の情報を表示する。記憶部１７は、例えばフラッシュメモリにより構成される。記憶部１７には、各種のプログラムやデータが記憶される。
【００１４】
図２は、携帯端末１０の機能構成を示す図である。携帯端末１０は、本発明に係る表示装置の一例である。携帯端末１０は、プロセッサ１１が１又は複数のプログラムを実行することにより、取得部１１１、表示制御部１１２、スクロール部１１３、決定部１１４、変更部１１５、及び透明処理部１１６として機能する。
【００１５】
取得部１１１は、複数のコンテンツの情報が所定の順序で配列された一覧画像２０と、各コンテンツの詳細情報が前記所定の順序で配列された詳細画像３０とを取得する。表示制御部１１２は、一覧画像２０が表示部１６に表示されているときに、入力部１５によって複数のコンテンツの中から第１のコンテンツが選択されると、詳細画像３０のうち第１のコンテンツについての詳細情報を含む部分を、一覧画像２０に重ねて表示する。スクロール部１１３は、詳細画像３０が表示されているときに入力部１５から受け付けられた所定の操作に応じて、詳細画像３０をスクロールする。スクロールとは、画像をスライドさせて表示することをいう。
【００１６】
決定部１１４は、詳細画像３０がスクロールされている間、複数のコンテンツの中から詳細情報が表示される領域の大きさの比率が最も大きい第２のコンテンツを決定する。変更部１１５は、第１のコンテンツ又は第２のコンテンツについての情報が表示される一覧画像２０内の領域の色を変更する。透明処理部１１６は、決定部１１４により決定された第２のコンテンツ以外のコンテンツについての詳細情報が表示される詳細画像３０内の領域の不透明度を低下させる。
【００１７】
２．動作
図３は、複数のコンテンツの情報を表示する表示処理を示すフローチャートである。この表示処理は、例えば複数のコンテンツの一覧表示指示が入力されたときに開始される。
【００１８】
ステップＳ１０１において、取得部１１１は、複数のコンテンツの一覧を示す一覧画像２０を取得する。例えば、一覧画像２０が予め記憶部１７に記憶されている場合には、取得部１１１は、記憶部１７から一覧画像２０を取得する。一方、一覧画像２０が新たに生成される場合には、取得部１１１は、一覧画像２０を生成する生成部から一覧画像２０を取得する。
【００１９】
図４は、一覧画像２０の一例を示す図である。図４に示す例では、一覧画像２０には、アプリケーションＡ１〜Ａ２０の情報２０１〜２２０がＹ方向に沿って順番（所定の順序の一例）に配列される。情報２０１〜２２０には、それぞれ、例えばアプリケーションＡ１〜Ａ２０の識別情報、アプリケーションＡ１〜Ａ２０のアイコンのサムネイル画像、アプリケーションＡ１〜Ａ２０の概要を説明する情報が含まれる。
【００２０】
ステップＳ１０２において、表示制御部１１２は、一覧画像２０の一部を表示部１６に表示する。図５は、一覧画像２０の表示例を示す図である。図５に示す例では、図４に示す一覧画像２０のうちアプリケーションＡ１〜Ａ５の情報２０１〜２０５を含む部分が表示される。
【００２１】
ユーザは、例えば一覧画像２０が示すアプリケーションＡ２について詳細情報を閲覧したい場合、アプリケーションＡ２を選択する操作を行う。この操作は、例えばアプリケーションＡ２の情報２０２をタップする操作である。入力部１５によりこの操作が受け付けられると、表示処理はステップＳ１０３に進む。
【００２２】
ステップＳ１０３において、変更部１１５は、ユーザにより選択されたコンテンツ（第１のコンテンツの一例）の情報が表示される一覧画像２０内の領域の色を変更する。例えば、ユーザによりアプリケーションＡ２が選択された場合、アプリケーションＡ２の情報２０２が表示される一覧画像２０内の領域の色が、赤色等の目立つ色に変更される。なお、一覧画像２０には、ぼかしフィルタにより、全体にぼかし処理が施されてもよい。
【００２３】
ステップＳ１０４において、取得部１１１は、複数のコンテンツの詳細を示す詳細画像３０を取得する。例えば、詳細画像３０が予め記憶部１７に記憶されている場合には、取得部１１１は、記憶部１７から詳細画像３０を取得する。一方、詳細画像３０が新たに生成される場合には、取得部１１１は、詳細画像３０を生成する生成部から詳細画像３０を取得する。
【００２４】
図６は、詳細画像３０の一例を示す図である。図６に示す例では、詳細画像３０には、アプリケーションＡ１〜Ａ２０の詳細情報３０１〜３２０がＹ方向に沿って順番に配列される。一覧画像２０においてアプリケーションＡ１〜Ａ２０の情報２０１〜２２０が配列される順序と、詳細画像３０においてアプリケーションＡ１〜Ａ２０の詳細情報３０１〜３２０が配列される順序とは同じである。詳細情報３０１〜３２０には、それぞれ、一覧画像２０に含まれるアプリケーションＡ１〜Ａ２０の情報２０１〜２２０に加えて、アプリケーションＡ１〜Ａ２０の詳細を説明する情報や、アプリケーションＡ１〜Ａ２０をダウンロードする操作に用いられるボタンが含まれる。
【００２５】
ステップＳ１０５において、表示制御部１１２は、詳細画像３０のうちユーザにより選択されたコンテンツの詳細情報を含む部分を、一覧画像２０に重ねて表示する。図７は、詳細画像３０の表示例を示す図である。図７に示す例では、図５に示す一覧画像２０に重ねて、図６に示す詳細画像３０のうちアプリケーションＡ２の詳細情報３０２を含む部分が表示される。一覧画像２０は、表示部１６の表示領域とほぼ同じ幅Ｗ１を有する。一方、詳細画像３０の幅Ｗ２は、一覧画像２０の幅Ｗ１より小さい。そのため、図７に示すように、詳細画像３０が画面の中央に揃えて配置される場合には、一覧画像２０の幅方向の両端部は、詳細画像３０に隠されずに表示される。
【００２６】
ユーザは、例えば選択したコンテンツ以外のコンテンツの詳細情報を閲覧したい場合には、詳細画像３０をスクロールする操作（所定の操作の一例）を行う。この操作は、例えばフリック操作である。入力部１５によりこの操作が受け付けられると、表示処理はステップＳ１０６に進む。
【００２７】
ステップＳ１０６において、スクロール部１１３は、入力部１５から受け付けられた操作に応じて、詳細画像３０及び一覧画像２０をスクロールするスクロール処理を行う。例えば、ユーザにより−Ｙ方向のフリック操作が行われた場合、スクロール部１１３は、そのフリック操作の操作量に対応する移動量だけ、詳細画像３０を−Ｙ方向にスクロールする。また、スクロール部１１３は、詳細画像３０と連動して一覧画像２０をスクロールする。例えば、スクロール部１１３は、詳細画像３０をスクロールすることにより、アプリケーションＡ３の詳細情報３０３を含む部分が表示される場合には、アプリケーションＡ３の情報２０３を含む部分が表示されるように、一覧画像２０を−Ｙ方向にスクロールする。
【００２８】
このスクロール処理の間、決定部１１４は、所定の時間間隔で、各コンテンツの詳細情報が表示される領域の大きさを計算し、計算した大きさの比率が最も大きいコンテンツ（第２のコンテンツの一例）を決定する。変更部１１５は、決定部１１４により決定されたコンテンツの情報が表示される一覧画像２０内の領域の色を変更する。透明処理部１１６は、決定部１１４により決定されたコンテンツ以外のコンテンツの詳細情報が表示される領域の不透明度を低下させる。例えば、透明処理部１１６は、決定部１１４により決定されたコンテンツの詳細情報が表示される領域の不透明度を１００％とし、それ以外のコンテンツの詳細情報が表示される領域の不透明度を５０％とする。
【００２９】
図８及び図９は、スクロール処理の一例を示す図である。図８に示す例では、スクロールにより、詳細画像３０のうちアプリケーションＡ２の詳細情報３０２とアプリケーションＡ３の詳細情報３０３とを含む部分が表示されている。このアプリケーションＡ２の詳細情報３０２が表示される領域は、アプリケーションＡ３の詳細情報３０３が表示される領域より大きい。この場合、決定部１１４により決定されるコンテンツは、アプリケーションＡ２となる。したがって、アプリケーションＡ２の情報２０２が表示される一覧画像２０内の領域の色が、赤等の目立つ色に変更される。また、アプリケーションＡ２の詳細情報３０２が表示される領域の不透明度が１００％となり、アプリケーションＡ３の詳細情報３０３が表示される領域の不透明度が５０％となる。これにより、アプリケーションＡ２の詳細情報３０２が表示される領域は、不透明な状態で表示される一方、アプリケーションＡ３の詳細情報３０３が表示される領域は、半透明な状態で表示される。
【００３０】
図９に示す例は、図８に示す例と同様に、スクロールにより、詳細画像３０のうちアプリケーションＡ２の詳細情報３０２とアプリケーションＡ３の詳細情報３０３とを含む部分が表示されている。しかし、このアプリケーションＡ３の詳細情報３０３が表示される領域は、アプリケーションＡ２の詳細情報３０２が表示される領域より大きい。この場合、決定部１１４により決定されるコンテンツは、アプリケーションＡ３となる。したがって、アプリケーションＡ３の情報２０３が表示される一覧画像２０内の領域の色が変更される。また、アプリケーションＡ３の詳細情報３０３が表示される領域の不透明度が１００％となり、アプリケーションＡ２の詳細情報３０２が表示される領域の不透明度が５０％になる。これにより、アプリケーションＡ３の詳細情報３０３が表示される領域は、不透明な状態で表示される一方、アプリケーションＡ２の詳細情報３０２が表示される領域は、半透明な状態で表示される。
【００３１】
ステップＳ１０７において、スクロール部１１３は、詳細画像３０をスクロールする操作が終了したか否かを判断する。例えばフリック操作が連続して行われている間、スクロール部１１３は、詳細画像３０をスクロールする操作が終了していないと判断する（ステップＳ１０７：ＮＯ）。この場合、表示処理は、ステップＳ１０６に戻る。一方、例えばユーザがフリック操作を行った後、表示部１６から指を離してから所定の時間経過した場合、スクロール部１１３は、詳細画像３０をスクロールする操作が終了したと判断する（ステップＳ１０７：ＹＥＳ）。この場合、表示処理は、ステップＳ１０８に進む。
【００３２】
ステップＳ１０８において、スクロール部１１３は、詳細画像３０の位置を調整する。例えば、複数のコンテンツの詳細情報が表示されているときに詳細画像３０をスクロールする操作が終了した場合には、決定部１１４により最後に決定されたコンテンツの詳細情報全体を含む部分が表示されるように、詳細画像３０をスクロールする。
【００３３】
例えば、図８に示す詳細画像３０が表示されているときに、詳細画像３０をスクロールする操作が終了した場合には、決定部１１４により最後に決定されるコンテンツは、アプリケーションＡ２となる。この場合、スクロール部１１３は、アプリケーションＡ２の詳細情報３０２が表示される領域全体が表示されるように、詳細画像３０をＹ方向にスクロールする。これにより、表示部１６には、図７に示すように、詳細画像３０のうちアプリケーションＡ２の詳細情報３０２全体を含む部分が表示される。
【００３４】
一方、図９に示す詳細画像３０が表示されているときに、詳細画像３０をスクロールする操作が終了した場合には、決定部１１４により最後に決定されるコンテンツは、アプリケーションＡ３となる。この場合、スクロール部１１３は、アプリケーションＡ３の詳細情報３０３が表示される領域全体が表示されるように、詳細画像３０を−Ｙ方向にスクロールする。これにより、表示部１６には、図１０に示すように、詳細画像３０のうちアプリケーションＡ３の詳細情報３０３全体を含む部分が表示される。
【００３５】
本実施形態では、詳細画像３０が表示されるときに、複数のコンテンツの一覧を示す一覧画像２０の一部が表示される。これにより、詳細画像３０が表示されているときに、複数のコンテンツに含まれる他のコンテンツを認識することができる。また、ユーザにより選択されたコンテンツの情報が表示される一覧画像２０内の領域の色が変更されるため、一覧画像２０の一部しか表示されなくても、選択中のコンテンツを容易に認識することができる。さらに、ユーザの操作に応じて詳細画像３０がスクロールされるため、いったん一覧画像２０に戻らなくても、前後のコンテンツの詳細情報を容易に閲覧することができる。
【００３６】
また、本実施形態では、決定部１１４により決定されたコンテンツの詳細情報が表示される領域は不透明な状態で表示される一方、それ以外のコンテンツの詳細情報が表示される領域は半透明な状態で表示される。したがって、ユーザは、詳細画像３０をスクロールする操作を終了したときに、どのコンテンツの詳細情報が表示されるかを容易に認識することができる。
【００３７】
３．変形例
本発明は、上述した実施形態に限定されない。例えば、上述した実施形態を以下のように変形してもよい。また、以下の変形例を組み合わせてもよい。
【００３８】
スクロール処理の間、変更部１１５は、決定部１１４により新たにコンテンツが決定された場合には、前回決定されたコンテンツの情報が表示される領域の色を元に戻してもよい。また、変更部１１５は、明るさを変更してもよい。例えば、変更部１１５は、図８に示す例において、アプリケーションＡ２の情報２０２が表示される領域の明るさを上げる。この後、図９に示すように詳細画像３０がスクロールされた場合、変更部１１５は、アプリケーションＡ３の情報２０３が表示される領域の明るさを上げるとともに、アプリケーションＡ２の情報２０２が表示される領域の明るさを下げる。
【００３９】
上述した実施形態において、例えばユーザがフリック操作を何回も繰り返した場合には、ユーザが詳細画像３０を早くスクロールすることを希望していると考えられる。このように、詳細画像３０をスクロールする操作の操作量が閾値より大きい場合には、表示制御部１１２は、一覧画像２０と詳細画像３０とを入れ替えてもよい。具体的には、表示制御部１１２は、図１１に示すように、詳細画像３０を表示部１６の表示領域の幅Ｗ１に合わせて拡大して背面に表示する一方、一覧画像２０を拡大前の詳細画像３０の幅Ｗ２に合わせて縮小して、詳細画像３０に重ねて表示する。
【００４０】
このように、一覧画像２０が詳細画像３０に重ねて表示されると、ユーザは、一覧画像２０をスクロールする操作を行うことができる。一般的に、一覧画像２０は、詳細画像３０より情報量が少ない分、Ｙ方向の長さが小さくなる。そのため、例えば一覧画像２０をスクロールする操作によりアプリケーションＡ２０の情報２２０にたどり着くのに必要な操作量は、詳細画像３０をスクロールする操作によりアプリケーションＡ２０の詳細情報３２０にたどり着くのに必要な操作量より少なくなる。したがって、ユーザは、少ない操作量で所望のコンテンツの情報を表示させることができる。
【００４１】
上述した実施形態において、詳細画像３０が表示されているときに、一覧画像２０をスクロールする操作を受け付けてもよい。この操作は、例えば一覧画像２０の幅方向の端部が表示された領域におけるフリック操作である。スクロール部１１３は、この操作に応じて一覧画像２０をスクロールする。
【００４２】
ユーザは、例えば図７に示す詳細画像３０が表示されているときに、一覧画像２０を−Ｙ方向にスクロールする場合には、一覧画像２０の幅方向の端部が表示された領域に接触し、この領域上で−Ｙ方向のフリック操作を行う。スクロール部１１３は、そのフリック操作の操作量に対応する移動量だけ、一覧画像２０を−Ｙ方向にスクロールする。また、スクロール部１１３は、一覧画像２０と連動して詳細画像３０をスクロールする。例えば、スクロール部１１３は、一覧画像２０をスクロールすることにより、アプリケーションＡ３の情報２０３を含む部分が表示される場合には、アプリケーションＡ３の詳細情報３０３を含む部分が表示されるように、詳細画像３０をスクロールする。これにより、ユーザは、少ない操作量で所望のコンテンツの情報を表示させることができる。
【００４３】
さらに、表示制御部１１２は、詳細画像３０をスクロールする操作の操作量に応じて、詳細画像３０の幅を変更してもよい。例えば、詳細画像３０をスクロールする操作の操作量が閾値より大きい場合、表示制御部１１２は、図１２に示すように、詳細画像３０の幅をＷ２からＷ３に縮小してもよい。これにより、一覧画像２０の幅方向の端部が表示される領域が拡大されるため、上述した一覧画像２０をスクロールする操作を行い易くなる。
【００４４】
上述した実施形態では、詳細画像３０が表示されているときに、一覧画像２０の幅方向の両端部が、詳細画像３０に隠されずに表示される例について説明した。しかし、一覧画像２０の一部が詳細画像３０に隠されずに表示されていれば、必ずしも一覧画像２０の幅方向の両端部が表示される必要はない。例えば、一覧画像２０の幅方向の一方の端部だけが、詳細画像３０に隠されずに表示されてもよい。
【００４５】
上述した表示処理の各ステップの順番は、実施形態で説明した順番に限定されない。例えば、ステップＳ１０１において、一覧画像２０とともに詳細画像３０が取得されてもよい。また、ステップＳ１０３の処理及びＳ１０５の処理が並行して行われてもよい。
【００４６】
一覧画像２０に含まれるコンテンツの情報及び詳細画像３０に含まれるコンテンツの詳細情報は、実施形態で説明したものに限定されない。コンテンツの詳細情報は、一覧画像２０に含まれるコンテンツの情報と異なる情報であれば、どのような情報であってもよい。
【００４７】
上述した実施形態では、コンテンツがアプリケーションである例について説明したが、コンテンツはアプリケーションに限定されない。例えばコンテンツは、画像、映像、音楽、文章であってもよい。
【００４８】
上述した実施形態では、携帯端末１０の機能はいずれもソフトウェアにより実現されていたが、これらの機能の少なくとも一部がハードウェアにより実現されてもよい。
【００４９】
上述した実施形態では、本発明を携帯端末１０に適用した例を説明したが、本発明の対象となる装置は携帯端末１０に限定されない。本発明は、複数のコンテンツの情報を表示する装置であれば、どのような装置に適用されてもよい。例えば、本発明は、パーソナルコンピュータやゲーム機に適用されてもよい。
【００５０】
携帯端末１０のプロセッサ１１により実行されるプログラムは、インターネットなどの通信回線を介してダウンロードされてもよい。また、このプログラムは、磁気記録媒体（磁気テープ、磁気ディスクなど）、光記録媒体（光ディスクなど）、光磁気記録媒体、半導体メモリなどの、コンピュータが読取可能な記録媒体に記録した状態で提供されてもよい。
【符号の説明】
【００５１】
１０：携帯端末、１１：プロセッサ、１２：メインメモリ、１３：通信部、１４：音声入出力部、１５：入力部、１６：表示部、１７：記憶部、１１１：取得部、１１２：表示制御部、１１３：スクロール部、１１４：決定部、１１５：変更部、１１６：透明処理部。
【図１】
2015141660.tif 000003
【図２】
2015141660.tif 000004
【図３】
2015141660.tif 000005
【図４】
2015141660.tif 000006
【図５】
2015141660.tif 000007
【図６】
2015141660.tif 000008
【図７】
2015141660.tif 000009
【図８】
2015141660.tif 000010
【図９】
2015141660.tif 000011
【図１０】
2015141660.tif 000012
【図１１】
2015141660.tif 000013
【図１２】
2015141660.tif 000014